(57)【特許請求の範囲】
【請求項１】
こんろバーナが設けられたこんろ本体と、
このこんろ本体に設置される五徳と
を具備し、
前記こんろ本体は、
前記こんろバーナが通されるバーナ挿通孔が設けられた天板と、
前記バーナ挿通孔と前記こんろバーナとの間の隙間を塞ぐようにして前記天板上に固定されるバーナリングと、
前記バーナリングに被さるように前記天板に対して取外し可能に取り付けられたカバーと
を備え、
前記五徳は、
前記カバーを囲むように環状に形成され、複数の五徳爪が固定されたリング部と、
前記リング部の内周縁よりも中央側に突出し、前記カバーの上面に沿うように形成された干渉片と
を備え、
前記カバーが適正な設置位置よりも上方に位置する状態では、前記干渉片が前記カバーに干渉するように構成されている
ことを特徴とするガスこんろ。
【請求項２】
前記干渉片は、前記五徳爪から延出している
ことを特徴とする請求項１記載のガスこんろ。
【請求項３】
前記カバーは天板上に固定されており、
前記カバーの外周縁には位置決め用の切欠が設けられ、
前記五徳には、前記リング部の内周縁よりも中央側に突出し、前記切欠に挿入される位置決め片が設けられている
ことを特徴とする請求項１または請求項２記載のガスこんろ。
【請求項４】
前記バーナリングには、前記カバーの前記切欠に挿入された位置決め片が嵌まり込む位置決め凹部が設けられている
ことを特徴とする請求項３記載のガスこんろ。
【請求項５】
こんろバーナが通されるバーナ挿通孔とこんろバーナとの間の隙間を塞ぐようにして天板上に固定されたバーナリングと、前記バーナリングに被さるように前記天板に対して取外し可能に取り付けられたカバーと、を備えたガスこんろに用いられる五徳であって、
前記カバーを囲むように環状に形成され、複数の五徳爪が固定されたリング部と、
前記リング部の内周縁よりも中央側に突出し、前記カバーの上面に沿うように形成された干渉片と
を備え、
前記干渉片は、前記カバーが適正な設置位置よりも上方に位置する状態で当該五徳が設置されると、前記カバーに干渉するように構成されている
ことを特徴とする五徳。
【発明の詳細な説明】
【技術分野】
【０００１】
本発明は、ガスこんろ及び五徳に関する。
【背景技術】
【０００２】
特許文献１には、従来のガスコンロが開示されている。この特許文献１記載のガスコンロは、バーナ用開口が設けられた天板と、ガスバーナとを備えている。バーナ用開口にはガスバーナが通されている。このバーナ用開口とガスバーナとの間には、当該隙間を覆うバーナリングが設置されている。
【０００３】
天板には五徳が設置されている。五徳は、バーナリングを囲う環状の五徳枠と、五徳枠に固定された五徳爪とを備えている。五徳は、各ガスバーナに対応して設置されており、バーナリングが天板上に載置された状態で設置される。
【先行技術文献】
【特許文献】
【０００４】
【特許文献１】特開２０１０−２１０１５４号公報
【発明の概要】
【発明が解決しようとする課題】
【０００５】
ところでこの特許文献１記載のバーナリングは、取り外し自在に構成されており、また、正しい設置向き・位置が存在する。バーナリングは、正しい向き・位置で設置されないと、傾いたり、正しい状態で取り付けられたときよりも上方に位置したりしてしまう。
【０００６】
このように正しい向き・位置で設置されていない状態で点火すると、バーナリングが異常な加熱状態になってしまうという問題がある。
【０００７】
しかし、ユーザーによっては、バーナリングが正しい向き・位置で設置されたかどうかに注意を払わない場合もあり、また、気付かない場合もあった。
【０００８】
なお、特許文献１の五徳には、バーナリングよりも内側に突出した延長部が設けられており、この延長部がバーナリングの外周の凹部に挿入されるように構成されている。しかし、この凹部は上下方向に貫通しているため、バーナリングが１８０°反転した誤設置状態であっても、五徳は適正に設置されてしまう。
【０００９】
本発明は、上記事情に鑑みてなされたものであり、その目的とするところは、カバーが正しい状態で取り付けられていない場合に、そのことをユーザーに気付かせることができるガスこんろ及び五徳を提供することにある。
【課題を解決するための手段】
【００１０】
本発明のガスこんろは、こんろバーナが設けられたこんろ本体と、このこんろ本体に設置される五徳とを具備し、前記こんろ本体は、前記こんろバーナが通されるバーナ挿通孔が設けられた天板と、前記バーナ挿通孔と前記こんろバーナとの間の隙間を塞ぐようにして前記天板上に固定されるバーナリングと、前記バーナリングに被さるように前記天板に対して取外し可能に取り付けられたカバーとを備え、前記五徳は、前記カバーを囲むように環状に形成され、複数の五徳爪が固定されたリング部と、前記リング部の内周縁よりも中央側に突出し、前記カバーの上面に沿うように形成された干渉片とを備え、前記カバーが適正な設置位置よりも上方に位置する状態では、前記干渉片が前記カバーに干渉するように構成されていることを特徴とする。
【００１１】
また、本発明の五徳は、こんろバーナが通されるバーナ挿通孔とこんろバーナとの間の隙間を塞ぐようにして天板上に固定されたバーナリングと、前記バーナリングに被さるように前記天板に対して取外し可能に取り付けられたカバーと、を備えたガスこんろに用いられる五徳であって、前記カバーを囲むように環状に形成され、複数の五徳爪が固定されたリング部と、前記リング部の内周縁よりも中央側に突出し、前記カバーの上面に沿うように形成された干渉片とを備え、前記干渉片は、前記カバーが適正な設置位置よりも上方に位置する状態で当該五徳が設置されると、前記カバーに干渉するように構成されていることを特徴とする。
【発明の効果】
【００１２】
本発明のガスこんろによれば、カバーが正しい状態で取り付けられていない場合に、そのことをユーザーに気付かせることができることができる。
【００１３】
本発明の五徳によれば、カバーが正しい状態で取り付けられていない場合に、そのことをユーザーに気付かせることができることができる。
【図面の簡単な説明】
【００１４】
【図１】本実施形態のガスこんろの斜視図である。
【図２】本実施形態のガスこんろの要部分解斜視図である。
【図３】本実施形態のこんろバーナ周辺の要部平面図である。
【図４】図４Ａは、図３において、五徳のみをＸ−Ｘ線で切断した断面図であり、図４Ｂは、干渉片近傍の拡大図であり、図４Ｃは、干渉片の変形例の拡大図である。
【図５】図３におけるＹ−Ｙ線断面図である。
【図６】図６Ａは、カバーが適正な設置位置に設置されていない状態の斜視図であり、図６Ｂは、カバーが適正な設置位置に設置されていない状態で五徳が取り付けられた状態の斜視図である。
【発明を実施するための形態】
【００１５】
以下、本発明の実施形態について添付図面に基づいて説明する。
【００１６】
本実施形態のガスこんろは、ドロップインこんろであり、例えば、キャビネット内に組み込まれて用いられる。ガスこんろは、グリル付きのガスこんろである。ガスこんろは、こんろ本体１と、複数の五徳６とを備えている。
【００１７】
なお、以下においては、ガスこんろにおける方向を、ユーザーが立つ側を前側、ユーザーが立つ側とは反対側を後側として定義する。
【００１８】
こんろ本体１は、ガスこんろの主体を構成する部分である。こんろ本体１は、機器本体１０と、天板３と、バーナリング４と（図２）、カバー５とを備えている。
【００１９】
機器本体１０は、こんろバーナ１１やグリルなどの機器を有する。機器本体１０は、ガスこんろがキャビネットに設置された状態では、キャビネット内に埋め込まれる。機器本体１０は、複数のこんろバーナ１１と、グリル庫１７と、これらを内部に収容する筐体１９とを備えている。
【００２０】
筐体１９は、矩形箱状に形成されている。筐体１９の前面には、こんろバーナ１１やグリル庫１７を操作するための操作部２０が設けられている。また、筐体１９の前面の中央には、グリル庫１７を開閉自在とするグリル扉１８が設けられている。筐体１９は、上方に開口しており、この開口を塞ぐようにして天板３が設けられる。
【００２１】
グリル庫１７は、調理物を炙り焼き調理するための部分である。グリル庫１７は、前方に開口しており、その開口にグリル扉１８が開閉自在に設けられている。
【００２２】
こんろバーナ１１は、ブンゼンバーナによって構成されている。こんろバーナ１１は、上下方向に延びており、その上端が天板３の上面から突出する。こんろバーナ１１は、筐体１９の内部に配置されている。こんろバーナ１１は、五徳６上に配置された調理容器を加熱する。
【００２３】
こんろバーナ１１は、図２に示すように、バーナ本体１２と、バーナ本体１２に載置されるバーナキャップ１４と、バーナ本体１２とバーナキャップ１４との間に設けられる複数の炎孔１３と、点火プラグ１５と、この点火プラグ１５を上方から覆う覆い片１６とを備えている。
【００２４】
バーナ本体１２は、中空形状をしており、その内部がガス供給源に通じている。バーナ本体１２は、上方に開口している。バーナキャップ１４は、バーナ本体１２の開口縁に載置される。バーナキャップ１４は、裏側に複数の溝が放射状に形成されており、バーナ本体１２の開口縁に載置されると、その開口縁に沿って複数の炎孔１３を形成する。
【００２５】
点火プラグ１５は、バーナ本体１２に沿って配置されている。点火プラグ１５は、こんろバーナ１１が設置された状態では、天板３の上面よりも上方に突出している。覆い片１６は、バーナ本体１２の外周面から側方に向かって突出しており、これにより点火プラグ１５の上方に配置される。
【００２６】
また、こんろバーナ１１には、図３に示すように、平面視において、点火プラグ１５から１３５°ずれた位置に炎検知器２１が設けられている。
【００２７】
このような構成の機器本体１０には、筐体１９の上方の開口を塞ぐようにして、天板３が固定されている。
【００２８】
天板３は、図１に示すように、平面視矩形状に形成されている。天板３は、アルミ等の金属板や、ガラス板等によって構成される。天板３の後部には排気口３１が設けられており、この排気口３１には排気カバー３２が取り付けられている。排気口３１は、グリル庫１７内に通じており、グリル庫１７に生じる排気を排出する。
【００２９】
天板３には、図２に示すように、こんろバーナ１１を通すための複数のバーナ挿通孔３３が設けられている（本実施形態では３つ）。バーナ挿通孔３３は、天板３を貫通しており、平面視円形状をしている。バーナ挿通孔３３は、天板３が筐体１９上に設置されると、こんろバーナ１１が通される。このとき、バーナ挿通孔３３の内周縁と、こんろバーナ１１のバーナ本体１２との間には、環状の隙間が形成される。
【００３０】
バーナリング４は、バーナ挿通孔３３の内周縁とこんろバーナ１１の外周面との間の隙間を塞ぐようにして天板３上に固定される。バーナリング４は平面視リング状をしている。バーナリング４の外周縁には、位置決め凹部４１が設けられている。位置決め凹部４１は、バーナリング４の表面から凹没しており、底部を有している。この位置決め凹部４１には、後述の五徳６の位置決め片６５が嵌め込まれて位置決めされる。
【００３１】
カバー５は、バーナ挿通孔３３の内周縁とこんろバーナ１１の外周面との間の隙間から、煮汁等が流入するのを防ぐ。カバー５は、バーナ挿通孔３３の内周縁とこんろバーナ１１の外周面との間を覆う。本実施形態のカバー５は、バーナリング４に被せるようにして、天板３上に固定されている。
【００３２】
なお、本実施形態のガスこんろは、バーナ挿通孔３３とこんろバーナ１１との間の隙間をバーナリング４によって塞いだ上でカバー５を設置しているが、バーナリング４を設置せずに、カバー５のみ取り付けてもよい。
【００３３】
カバー５は、平面視ドーナツ状をしている。カバー５の中央には、こんろバーナ１１が通される。また、カバー５の外周縁には、一対の位置決め用の切欠５１が設けられている。各切欠５１は、カバー５を上下に貫通している。一対の切欠５１は、直径上に並ぶように配置されている。
【００３４】
カバー５の内周縁には、点火プラグ１５との干渉を防ぐための第１の内切欠５２と、炎検知器２１との干渉を防ぐための第２の内切欠５３とが設けられている。これにより、カバー５が設置されると、当該カバー５は、点火プラグ１５や炎検知器２１に干渉することなく、天板３上に載置される。
【００３５】
なお、この第１の内切欠５２と第２の内切欠５３とは、１３５°ずれて配置されている。このため、仮に、第１の内切欠５２が後側に位置するように、正しい設置向きから１８０°反転して設置されると、カバー５の内周縁が炎検知器２１上に載ってしまうことになる。
【００３６】
このような構成のこんろ本体１には、複数の五徳６が設置される。五徳６は、図２に示すように、五徳爪６２と、リング部６１と、干渉片６４と、位置決め片６５とを備えている。
【００３７】
リング部６１は、平面視環状をしている。リング部６１は、五徳６が天板３上に設置されると、カバー５を囲む。リング部６１には、複数の五徳爪６２が放射状に固定されている。なお、本実施形態のリング部６１は、真円状をしているが、例えば、楕円形状をしていてもよい。
【００３８】
複数の五徳爪６２は、リング部６１に固定されており、鍋等の調理容器を支持する。各五徳爪６２は、上片６６と下片６７と縦片６８とを有しており、横倒しＵ字状をしている。上片６６の上面には、鍋などの調理容器が載置される。下片６７には、載置部６３が設けられている。載置部６３は、五徳６が天板３上に載る部分であり、下片６７の外側下端部に設けられている。なお、五徳爪６２とリング部６１とは、例えば、溶接等によって固定される。
【００３９】
干渉片６４は、リング部６１の内周縁よりも中央側に突出している。また、干渉片６４は、図４Ｂに示すように、カバー５の上面に沿うように形成されている。本実施形態の干渉片６４は、その下端面が傾斜しており、カバー５の上面に略平行となっている。
【００４０】
本実施形態の干渉片６４は、五徳爪６２の下片６７において、こんろバーナ１１側の端部から、中央に向かって延出している。干渉片６４は、複数の五徳爪６２に一体に設けられている（本実施形態では４つ）。
【００４１】
干渉片６４は、カバー５の上面に沿うように形成されているため、カバー５が設置不良などで、適正な設置位置よりも上方に位置する状態では、干渉片６４がカバー５に干渉する。このため、図６Ｂに示すように、カバー５が傾いた状態で設置されると、五徳６も傾くように構成されている。
【００４２】
このような干渉片６４は、例えば、図４Ｃに示すような形状であってもよい。この干渉片６４も、リング部６１の内周縁よりも中央側に突出しており、また、カバー５の上面に沿うように形成されている。干渉片６４は、上端面と下端面とが平行となっており、カバー５の上面とは非平行となっている。
【００４３】
また、五徳６は、図２に示すように、一対の位置決め片６５を有している。一対の位置決め片６５は、前後方向に対向するように、中央に向かって突出している。位置決め片６５は、リング部６１の内周縁よりも中央側に突出している。位置決め片６５は、図５に示すように、カバー５の上面よりも下方に位置するように形成されており、その下端が、カバー５の切欠５１に挿入された状態で、バーナリング４の位置決め凹部４１に嵌まり込むように構成されている。
【００４４】
このような構成のガスこんろは、天板３上面の手入れがしやすいように、カバー５が取り外し自在に構成されている。ユーザーは、カバー５が汚れた場合には、カバー５を取り外して、洗浄することができる。
【００４５】
洗浄後、ユーザーは、カバー５を再度取り付けるが、このとき、カバー５の内周縁がこんろバーナ１１の覆い片１６に引っ掛かったり、あるいは、１８０°取り付けの向きを間違えたりして、カバー５が適正な設置位置に設置されない場合がある（図６Ａ参照）。このとき、カバー５は、適正な設置位置よりも上方に位置する状態となる。
【００４６】
しかしながら、本実施形態のガスこんろは、この状態で五徳６を設置すると、図６Ｂに示すように、五徳６の干渉片６４がカバー５の上面に乗り上げる。この状態で、調理容器を載置しようとしても、不安定な載置状態となる。この結果、ユーザーは容易に、カバー５が適正な設置状態でないことを気付くことができる。
【００４７】
以上説明したように、本実施形態のガスこんろは、次の第１の特徴を有する。すなわち、第１の特徴では、こんろバーナ１１が設けられたこんろ本体１と、こんろ本体１に設置される五徳６とを具備する。こんろ本体１は、こんろバーナ１１が通されるバーナ挿通孔３３が設けられた天板３と、バーナ挿通孔３３とこんろバーナ１１との間を覆うカバー５とを備える。五徳６は、リング部６１と干渉片６４とを備える。リング部６１は、カバー５を囲むように環状に形成され、複数の五徳爪６２が固定される。干渉片６４は、リング部６１の内周縁よりも中央側に突出し、カバー５の上面に沿うように形成される。そして、五徳６は、カバー５が適正な設置位置よりも上方に位置する状態では、干渉片６４がカバー５に干渉するように構成されている。
【００４８】
第１の特徴を有するガスこんろによれば、万が一、ユーザーがカバー５を間違えて取り付けた場合であっても、五徳６の干渉片６４がカバー５に乗り上げるため、遅くとも、調理容器を置く際には、カバー５が適正な設置位置にないことに気付くことができる。この結果、ユーザーは点火前にカバー５の誤設置に気付くことができ、カバー５が適正な設置位置にない状態で、加熱を開始してしまうのを防ぐことができる。
【００４９】
また、本実施形態のガスこんろは、以下に示す第２〜４の特徴を有することが好ましい。なお、この第２〜４の特徴は、本発明に必ずしも必要な構成ではなく、任意の構成である。
【００５０】
第２の特徴では、第１の特徴において、干渉片６４が五徳爪６２から延出している。
【００５１】
第２の特徴を有するガスこんろによれば、五徳爪６２を製造する際に、干渉片６４も同時に形成することができて、五徳６の製造を簡略化できる。
【００５２】
第３の特徴では、第１または第２の特徴において、カバー５の外周縁には位置決め用の切欠５１が設けられる。五徳６には、リング部６１の内周縁よりも中央側に突出し、切欠５１に挿入される位置決め片６５が設けられる。
【００５３】
第３の特徴を有するガスこんろによれば、カバー５に対して五徳６を位置決めできて、五徳爪６２が加熱され過ぎてしまうのを防ぐことができる。
【００５４】
第４の特徴では、第３の特徴において、バーナ挿通孔３３とこんろバーナ１１との間の隙間には、カバー５の下方にバーナリング４が固定されている。バーナリング４には、カバー５の切欠５１に挿入された位置決め片６５が嵌まり込む位置決め凹部４１が設けられる。
【００５５】
第４の特徴を有するガスこんろによれば、バーナリング４に五徳６を位置決めできて、五徳爪６２が加熱され過ぎてしまうのを防ぐことができる。
【００５６】
また、本実施形態の五徳６は、次の第５の特徴を有する。すなわち、第５の特徴では、こんろバーナ１１が通されるバーナ挿通孔３３とこんろバーナ１１との間の隙間を覆うカバー５が取り付けられたガスこんろに用いられる。五徳６は、リング部６１と、干渉片６４とを備える。リング部６１は、カバー５を囲むように環状に形成され、複数の五徳爪６２が固定される。干渉片６４は、リング部６１の内周縁よりも中央側に突出し、カバー５の上面に沿うように形成される。干渉片６４は、カバー５が適正な設置位置よりも上方に位置する状態で当該五徳６が設置されると、前記カバー５に干渉するように構成される。
【００５７】
第５の特徴を有する五徳６によれば、万が一、ユーザーがカバー５を間違えて取り付けた場合であっても、天板３上に設置すれば、カバー５が適正な設置位置にないことに気付くことができる。この結果、ユーザーは点火前にカバー５の誤設置に気付くことができ、カバー５が適正な設置位置にない状態で、加熱してしまうのを防ぐことができる。
【００５８】
なお、本実施形態のガスこんろは、ドロップインこんろであったが、例えば、テーブルこんろであってもよい。
【符号の説明】
【００５９】
１      こんろ本体
１０    機器本体
１１    こんろバーナ
１２    バーナ本体
１３    炎孔
１４    バーナキャップ
１５    点火プラグ
１６    覆い片
１７    グリル庫
１８    グリル扉
１９    筐体
２０    操作部
３      天板
３１    排気口
３２    排気カバー
３３    バーナ挿通孔
４      バーナリング
４１    位置決め凹部
５      カバー
５１    切欠
６      五徳
６１    リング部
６２    五徳爪
６３    載置部
６４    干渉片
６５    位置決め片
６６    上片
６７    下片
６８    縦片
【図１】
0006457790.tif 000002
【図２】
0006457790.tif 000003
【図３】
0006457790.tif 000004
【図４】
0006457790.tif 000005
【図５】
0006457790.tif 000006
【図６】
0006457790.tif 000007